(57)【要約】【課題】簡易かつ安価で歩留まりもよい構成であり、バッテリの着脱を容易とする。【解決手段】前面および底面が開放された箱部材１１と、箱部材１１の前面に設けられ、バッテリ２を当該箱部材１１内に斜めに挿入可能とするよう傾斜して配置された傾斜面１２と、傾斜面１２に設けられ、バッテリ２が箱部材１１内に斜めに挿入されて起こされた際に、当該バッテリ２の重心位置よりも前方側で当該バッテリ２の底面前方が嵌まり込むスリット１３とを備えた。【選択図】図１
2015022876.tif 000002
【特許請求の範囲】
【請求項１】
バッテリを着脱可能とするバッテリホルダにおいて、
前面および底面が開放された箱部材と、
前記箱部材の前面に設けられ、前記バッテリを当該箱部材内に斜めに挿入可能とするよう傾斜して配置された傾斜面と、
前記傾斜面に設けられ、前記バッテリが前記箱部材内に斜めに挿入されて起こされた際に、当該バッテリの重心位置よりも前方側で当該バッテリの底面前方が嵌まり込むスリットと
を備えたことを特徴とするバッテリホルダ。
【請求項２】
前記バッテリはケーブルを有し、
前記箱部材に設けられ、当該箱部材の上面と前記傾斜面との隙間を調整するよう移動または着脱することで前記バッテリの着脱を制限／許容し、当該バッテリが当該箱部材内に収納された状態において前記ケーブルを保持するケーブル保持部
を備えたことを特徴とする請求項１記載のバッテリホルダ。
【発明の詳細な説明】
【技術分野】
【０００１】
この発明は、バッテリを着脱可能とするバッテリホルダに関するものである。
【背景技術】
【０００２】
従来から、装置本体に装着され、バッテリを着脱可能に固定するバッテリホルダは、例えば図５に示すように、板金にバッテリの断面形状に合わせた穴１０１を開け、バッテリを横方向に支持する面１０２と、底面を支える面１０３の２面で保持するよう構成されている。
【０００３】
また、底部に舌片状に設けられ、基端が一側の側部の底部との連設部に連設され、先端が自由端とされて起立可能とされ、側部の拡開に応じてバッテリを押し出す押し出し板と、両端部の開口縁部に設けられた操作部と、側部または底部の両端に設けられバッテリの両端を係止する押さえ板とを備えたバッテリホルダも知られている（例えば特許文献１参照）。
また、回転して筐体より取り外されるベースプレートと、ベースプレートに設けられ、コイン型バッテリが取り付けられるホルダ本体と、ホルダ本体に設けられ、コイン型バッテリのリード取り出し部分に設けられた絶縁被覆部を利用してコイン型バッテリをベースプレートに所定角度をなして固定するバッテリー保持爪とを備えたバッテリホルダも知られている（例えば特許文献２参照）。
【先行技術文献】
【特許文献】
【０００４】
【特許文献１】特開２００３−２１７５３８号公報
【特許文献２】特開２００８−８４７４４号広報
【発明の概要】
【発明が解決しようとする課題】
【０００５】
しかしながら、図５に示す構成では、バッテリの着脱がし難いという課題があった。また、バッテリホルダの形状的に十分な強度を確保できず、曲げによる変形を注意しながら加工する必要があり歩留まりがよくないという課題があった。
また、特許文献１に開示された構成では、バッテリを弾性力で押える構成のため、バッテリ形状に合わせた形状である必要がある。そのため、特殊な加工や金型が必要となり、コストがかかるという課題があった。また、曲げによる変形に注意しながら加工する必要があり歩留まりがよくないという課題があった。
また、特許文献２に開示された構成では、バッテリを脱着する際に筐体外にバッテリホルダの一部を突出する必要があり、バッテリの着脱がし難いという課題があった。
【０００６】
この発明は、上記のような課題を解決するためになされたもので、簡易かつ安価で歩留まりもよい構成であり、バッテリの着脱が容易であるバッテリホルダを提供することを目的としている。
【課題を解決するための手段】
【０００７】
この発明に係るバッテリホルダは、前面および底面が開放された箱部材と、箱部材の前面に設けられ、バッテリを当該箱部材内に斜めに挿入可能とするよう傾斜して配置された傾斜面と、傾斜面に設けられ、バッテリが箱部材内に斜めに挿入されて起こされた際に、当該バッテリの重心位置よりも前方側で当該バッテリの底面前方が嵌まり込むスリットとを備えたものである。
【発明の効果】
【０００８】
この発明によれば、上記のように構成したので、簡易かつ安価で歩留まりもよい構成であり、バッテリの着脱が容易である。
【図面の簡単な説明】
【０００９】
【図１】この発明の実施の形態１に係るバッテリホルダの構成を示す図であり、（ａ）斜視図であり、（ｂ）側断面図である。
【図２】この発明の実施の形態１に係るバッテリホルダに対するバッテリの脱着を説明する側断面図である。
【図３】この発明の実施の形態２に係るバッテリホルダの構成を示す図であり、（ａ）正面図であり、（ｂ）側断面図である。
【図４】この発明の実施の形態２に係るバッテリホルダの別の構成を示す図であり、（ａ）正面図であり、（ｂ）側断面図である。
【図５】従来のバッテリホルダの構成を示す斜視図である。
【発明を実施するための形態】
【００１０】
以下、この発明の実施の形態について図面を参照しながら詳細に説明する。
実施の形態１．
図１はこの発明の実施の形態１に係るバッテリホルダ１の構成を示す図である。なお図１（ｂ）では、バッテリホルダ１内にバッテリ２を収納した状態を示している。なお符号３は、バッテリ２が有するケーブルである。
バッテリホルダ１は、バッテリ２を着脱可能とするものである。このバッテリホルダ１は、図１に示すように、前面および底面が開放された箱部材１１を有している。そして、箱部材１１の前面には傾斜面１２が設けられている。この傾斜面１２は、バッテリ２を箱部材１１内に斜めに挿入可能とするよう傾斜（例えば箱部材１１の背面に対して４５度）して配置された板部材である。なお、箱部材１１の上面に対する傾斜面１２の設置位置は、上面とバッテリ２との隙間が最小となるように、バッテリ２のサイズにより設定される。
【００１１】
また、傾斜面１２にはスリット１３が設けられている。このスリット１３は、バッテリ１２が箱部材内１１に斜めに挿入されて起こされた際に、当該バッテリ２の底面前方が嵌まり込むものである。そして、このスリット１３と箱部材１１の背面とにより、バッテリ２を固定する。なお、傾斜面１２におけるスリット１３の位置は、図１（ｂ）に示すように、バッテリ２の重心位置Ｇより前方側で当該バッテリ２の底面前方が嵌まり込む位置に設定される。
【００１２】
次に、上記のように構成されたバッテリホルダ１に対するバッテリ２の着脱について、図２を参照しながら説明する。
バッテリ２をバッテリホルダ１に収納する場合には、図２（ａ）に示すように、まず、バッテリ２をバッテリホルダ１の傾斜面１２に沿って矢印の方向に斜めにスライドさせて、箱部材１１内に挿入する。
次いで、図２（ｂ）に示すように、バッテリ２の底面後方が箱部材１１の背面と当接した後、バッテリ２を矢印の方向に起こす。これにより、図２（ｃ）に示すように、バッテリ２の底面前方が傾斜面１２のスリット１３に嵌まり込み、スリット１３と箱部材１１の背面とによりバッテリ２を容易に固定することができる。また、このスリット１３により、バッテリ２を起こして当該スリット１３に嵌まり込ませた際に、操作者に対して、バッテリ２がスリット２に嵌まり込み固定されたことを伝えるクリック感を与えることができる。
【００１３】
一方、バッテリ２をバッテリホルダ１から取り外す場合には、図２（ｄ）に示すように、手や棒などにより、バッテリホルダ１の底面の隙間を介してバッテリ２の底面を矢印の方向に押す。これにより、バッテリ２の底面前方がスリット１３から外れて、当該バッテリ２が傾斜面１２側に倒れ、図２（ｂ）に示す状態となる。
その後、バッテリ２を傾斜面１２に沿って上方にスライドさせる。これにより、バッテリ２をバッテリホルダ１から容易に取り外すことができる。
【００１４】
以上のように、この実施の形態１によれば、前面および底面が開放された箱部材１１と、箱部材１１の前面に設けられ、バッテリ２を当該箱部材１１内に斜めに挿入可能とするよう傾斜して配置された傾斜面１２と、傾斜面１２に設けられ、バッテリ２が箱部材１１内に斜めに挿入されて起こされた際に、当該バッテリ２の重心位置よりも前方側で当該バッテリ２の底面前方が嵌まり込むスリット１３とを備えたので、簡易かつ安価で歩留まりもよい構成であり、バッテリ２の着脱が容易である。
【００１５】
実施の形態２．
図３はこの発明の実施の形態２に係るバッテリホルダ１の構成を示す図である。なお図３（ａ）では、ケーブル３の図示を省略している。
図３に示す実施の形態２に係るバッテリホルダ１は、図１に示す実施の形態１に係るバッテリホルダ１にケーブル保持部１４を追加したものである。その他の構成は同様であり、同一の符号を付してその説明を省略する。
【００１６】
ケーブル保持部１４は、箱部材１１の上面に設けられ、バッテリ２がバッテリホルダ１に収納された状態において当該バッテリ２のケーブル３を保持するものである。また、ケーブル保持部１４は、箱部材１１の上面と傾斜面１２との隙間を調整するよう回動可能に構成され、バッテリ２のバッテリホルダ１に対する着脱を制限／許容する。図３に示すケーブル保持部１４では、箱部材１１の前方側に回動可能に構成されている。
【００１７】
そして、バッテリ２をバッテリホルダ１に対して着脱する際には、図３（ｂ）に破線で示すように、ケーブル保持部１４を箱部材１１の前方に回動させる。これにより、箱部材１１の上面と傾斜面１２との隙間を開くことができ、実施の形態１と同様の手順でバッテリ２をバッテリホルダ１に対して着脱することができる。
一方、バッテリ２がバッテリホルダ１に収納された状態では、図３に実線で示すように、ケーブル保持部１４を矛部材１１の前面に位置させるように回動させる。これにより、箱部材１１の上面と傾斜面１２との隙間を狭めることができ、バッテリ２のバッテリホルダ１からの飛び出しを防止することができる。
【００１８】
また、ケーブル保持部１４としては、図３に示す構成に限るものではなく、例えば図４に示すような構成としてもよい。図４に示すケーブル保持部１４では、箱部材１１の前面内において回動可能に構成されている。なお図４（ａ）では、ケーブル３の図示を省略している。
【００１９】
そして、バッテリ２をバッテリホルダ１に対して着脱する際には、図４（ａ）に破線で示すように、ケーブル保持部１４を箱部材１１の上面より上方に回動させる。これにより、箱部材１１の上面と傾斜面１２との隙間を開くことができ、実施の形態１と同様の手順でバッテリ２をバッテリホルダ１に対して着脱することができる。
一方、バッテリ２がバッテリホルダ１に収納された状態では、図４に実線で示すように、ケーブル保持部１４を矛部材１１の上面より下方に回動させる。これにより、箱部材１１の上面と傾斜面１２との隙間を狭めることができ、バッテリ２のバッテリホルダ１からの飛び出しを防止することができる。
【００２０】
また、ケーブル保持部１４としては、図３，４に示すような回動（移動）式に限るものではなく、着脱式としてもよい。
【００２１】
以上のように、この実施の形態２によれば、箱部材１１に、当該箱部材１１の上面と傾斜面１２との隙間を調整するよう移動または着脱することでバッテリ２の着脱を制限／許容し、当該バッテリ２が当該箱部材１１内に収納された状態においてケーブル３を保持するケーブル保持部１４を設けたので、実施の形態１における効果に加え、バッテリ２がバッテリホルダ１に収納された状態ではバッテリ２の飛出しを防止し、バッテリ２の着脱の際には回動、着脱させることでバッテリ２をバッテリホルダ１から挿抜するためのアクセス空間を確保することができる。
【００２２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２３】
１  バッテリホルダ
２  バッテリ
３  ケーブル
１１  箱部材
１２  傾斜面
１３  スリット
１４  ケーブル保持部
【図１】
2015022876.tif 000003
【図２】
2015022876.tif 000004
【図３】
2015022876.tif 000005
【図４】
2015022876.tif 000006
【図５】
2015022876.tif 000007